(57)【要約】【課題】新規なる転写機能を備えたサーマル印字用隠蔽帳票を提供する。【解決手段】二枚の紙基材２ａ，２ｂの対向面の、その何れか一方の対向面の所定領域に感熱性ディレードタック型糊剤からなる被転写層３を配設する一方、他方の対向面に易剥離層４を配設し、該易剥離層４上に転写用インキ層５を積層した。この二枚の紙基材２ａ，２ｂを重ね合わせた状態でサーマルプリンタによって所要情報を印字すると、被転写層３が印字形態通りに加熱されて接着性が発現し、対向面の転写用インキ層５が印字形態通りに被転写層３に接合され、かつ、その接合力により二枚の紙基材２ａ，２ｂが一体化されて、内部に印字された所要情報を隠蔽することができ、二枚の紙基材２ａ，２ｂを分離すると、印字形態通りに接合されている転写用インキ層５のインキ部分だけが被転写層３に転写され、印字された所要情報を表示することができる。【選択図】図１
2010115841.tif 000002
【特許請求の範囲】
【請求項１】
上下に重ね合わせられる二枚の紙基材の対向面の、その何れか一方の対向面の所定領域に感熱性ディレードタック型糊剤からなる被転写層が配設される一方、他方の対向面で少なくとも前記被転写層に上下で一致する位置に易剥離層が配設されるとともに該易剥離層上に転写用インキ層が積層されていることを特徴とするサーマル印字用隠蔽帳票。
【請求項２】
二枚の紙基材が被転写層以外の部分で接着により一体化されていることを特徴とする請求項１記載のサーマル印字用隠蔽帳票。
【請求項３】
易剥離層が、平滑性を有するコーティング層からなることを特徴とする請求項１又は請求項２記載のサーマル印字用隠蔽帳票。
【請求項４】
易剥離層が、剥離剤を含有させたインキ層からなることを特徴とする請求項１又は請求項２記載のサーマル印字用隠蔽帳票。
【請求項５】
転写用インキ層を透明以外の有色とし、被転写層を透明とするとともに、該被転写層が配設された紙基材を転写用インキ層とは異なる色としたことを特徴とする請求項１乃至請求項４の何れか１項に記載のサーマル印字用隠蔽帳票。
【請求項６】
易剥離層と転写用インキ層とを透明以外の有色で同じ色とし、被転写層を透明とするとともに、該被転写層が配設された紙基材を易剥離層及び転写用インキ層とは異なる色としたことを特徴とする請求項１乃至請求項４の何れか１項に記載のサーマル印字用隠蔽帳票。
【請求項７】
易剥離層と転写用インキ層とを透明以外の有色で同じ色とし、被転写層を易剥離層及び転写用インキ層とは異なる色としたことを特徴とする請求項１乃至請求項４の何れか１項に記載のサーマル印字用隠蔽帳票。
【請求項８】
被転写層を透明とし、転写用インキ層を該被転写層が配設された紙基材と同じ色とし、易剥離層を転写用インキ層とは異なる色としたことを特徴とする請求項１乃至請求項４の何れか１項に記載のサーマル印字用隠蔽帳票。
【請求項９】
転写用インキ層と被転写層とを透明以外の有色で同じ色とし、易剥離層を転写用インキ層及び被転写層とは異なる色としたことを特徴とする請求項１乃至請求項４の何れか１項に記載のサーマル印字用隠蔽帳票。
【請求項１０】
転写用インキ層が部分的に相互に異なる色で設けられていることを特徴とする請求項１乃至請求項４の何れか１項に記載のサーマル印字用隠蔽帳票。
【請求項１１】
転写用インキ層が、転写後の表示情報に対する追記改竄を判別可能にする改竄防止模様形態で設けられていることを特徴とする請求項１乃至請求項１０の何れか１項に記載のサーマル印字用隠蔽帳票。
【発明の詳細な説明】
【技術分野】
【０００１】
本発明は、サーマルプリンタにより秘匿情報を印字し得るサーマル印字用隠蔽帳票に関する。
【背景技術】
【０００２】
一般に、ガス，電気，水道等の検針業務においては、ハンディーターミナルを用いて顧客名，使用量，請求金額等の所要情報を感熱紙に印字することにより検針票の作成が行われている。
【０００３】
前記感熱紙として使用可能な感熱記録媒体にあって、印字された所要情報を隠蔽し得るように構成されたものが知られている（例えば、特許文献１参照）。かかる感熱記録媒体は、紙等の支持体上に設けた感熱発色層上に隠蔽カバーが剥離可能に面接着されたものであり、また、前記隠蔽カバーは、合成樹脂フィルムからなるカバー基材の裏面に、アルミニウム蒸着層や不透明なコーティング層からなる隠蔽層を設けたものとなっている。この感熱記録媒体は、サーマルプリンタにより隠蔽カバー上から印字することで、内部の感熱発色層を発色させて所要情報を印字することができ、該所要情報は秘匿情報としてそのまま隠蔽カバーによって隠蔽される。また、前記隠蔽カバーを構成するカバー基材の表面には、印字時におけるカバー基材の熱変形に起因して生じる印字内容の変形情報を視認不能とする光拡散層が設けられている。
【特許文献１】特開平２−２８６３９１号公報
【発明の開示】
【発明が解決しようとする課題】
【０００４】
ところで、上述した従来構成の感熱記録媒体にあっては、感熱発色層を感熱発色させて所要情報を印字するものであるため、隠蔽カバーの剥離後における所要情報の保存性が悪く、時間経過に伴って次第に所要情報が褪色したり、感熱発色層自体が変色したりして所要情報の視認性が低下するという問題点があった。
【０００５】
また、感熱発色層が設けられる紙等の支持体は通常白色であり、感熱発色層は通常黒色で発色するため、秘匿情報が隠蔽カバーによって隠蔽されている状態において、白色の支持体の裏面側から透かして見ると、内部に印字されている黒色の秘匿情報がその明暗差によって視認可能となる場合があった。
【０００６】
本発明は、かかる従来の問題点に鑑みてなされたものであって、新規なる転写機能によりサーマルプリンタによる所要情報の印字が可能であり、該所要情報の保存性に優れ、さらに隠蔽状態において内部に印字された所要情報の視認を不能とし得るサーマル印字用隠蔽帳票を提供することを目的とするものである。
【課題を解決するための手段】
【０００７】
本発明は、上下に重ね合わせられる二枚の紙基材の対向面の、その何れか一方の対向面の所定領域に感熱性ディレードタック型糊剤からなる被転写層が配設される一方、他方の対向面で少なくとも前記被転写層に上下で一致する位置に易剥離層が配設されるとともに該易剥離層上に転写用インキ層が積層されていることを特徴とするサーマル印字用隠蔽帳票である。
【０００８】
ここで、感熱性ディレードタック型糊剤は、常温では非接着性または非粘着性であるが加熱により活性化されて接着性または粘着性が発現し、その後、加熱を止めても接着性または粘着性が持続する特性を備えたものであり、本発明では、ディレードタック型接着剤とディレードタック型粘着剤とを含む概念として用いるものとする。
【０００９】
前記サーマル印字用隠蔽帳票にあって、二枚の紙基材が被転写層以外の部分で接着により一体化されている構成が提案される。
【００１０】
ここで、二枚の紙基材は、弱接着剤により剥離可能に疑似接着されたり、強接着剤により紙基材の周囲や端部で剥離不能に接着され得る。
【００１１】
易剥離層が、平滑性を有するコーティング層からなる構成が提案される。
【００１２】
また、易剥離層が、剥離剤を含有させたインキ層からなる構成が提案される。
【００１３】
前記サーマル印字用隠蔽帳票にあって、転写用インキ層を透明以外の有色とし、被転写層を透明とするとともに、該被転写層が配設された紙基材を転写用インキ層とは異なる色とした構成が提案される。
【００１４】
また、易剥離層と転写用インキ層とを透明以外の有色で同じ色とし、被転写層を透明とするとともに、該被転写層が配設された紙基材を易剥離層及び転写用インキ層とは異なる色とした構成が提案される。
【００１５】
また、易剥離層と転写用インキ層とを透明以外の有色で同じ色とし、被転写層を易剥離層及び転写用インキ層とは異なる色とした構成が提案される。
【００１６】
また、被転写層を透明とし、転写用インキ層を該被転写層が配設された紙基材と同じ色とし、易剥離層を転写用インキ層とは異なる色とした構成が提案される。
【００１７】
また、転写用インキ層と被転写層とを透明以外の有色で同じ色とし、易剥離層を転写用インキ層及び被転写層とは異なる色とした構成が提案される。
【００１８】
さらに、転写用インキ層が部分的に相互に異なる色で設けられている構成が提案される。
【００１９】
また、転写用インキ層が、転写後の表示情報に対する追記改竄を判別可能にする改竄防止模様形態で設けられている構成が提案される。
【発明の効果】
【００２０】
本発明は、上述したように、上下に重ね合わせられる二枚の紙基材の対向面の、その何れか一方の対向面の所定領域に感熱性ディレードタック型糊剤からなる被転写層が配設される一方、他方の対向面で少なくとも前記被転写層に上下で一致する位置に易剥離層が配設されるとともに該易剥離層上に転写用インキ層が積層されているサーマル印字用隠蔽帳票であるから、二枚の紙基材を上下に重ね合わせた状態でサーマルプリンタによって何れか一方の紙基材上から所要情報を印字すると、該サーマルプリンタのサーマルヘッドから放出された熱によって、感熱性ディレードタック型糊剤からなる被転写層が印字形態通りに部分的に加熱されて活性化し、その活性化により発現する接着性または粘着性によって、対向面に設けられた転写用インキ層が印字形態通りに被転写層に接合され、かつ、その接合力により二枚の紙基材が一体化される。そして、この状態で二枚の紙基材を分離すると、印字形態通りに接合されている転写用インキ層のインキ部分だけが易剥離層の剥離作用を介して被転写層に転写され、印字された所要情報を表示することができる。
【００２１】
ここで、二枚の紙基材を分離する前の状態にあっては、転写用インキ層が印字形態通りに被転写層に接合されているだけであり、この接合されたインキ部分と他の非接合のインキ部分が一連となっているため、一体化されている二枚の紙基材の表裏両面の何れから透かして見ても内部に印字された所要情報を視認することはできない。また、二枚の紙基材を分離した後の状態にあっては、所要情報がインキで表示されているため、従来構成の感熱発色層に比して褪色し難く、これによって所要情報の優れた保存性が得られる。
【００２２】
このように本発明によれば、感熱性ディレードタック型糊剤からなる被転写層と、易剥離層上に積層された転写用インキ層とによる新規なる転写機能によりサーマルプリンタによる所要情報の印字及び二枚の紙基材の一体化が可能であり、印字後における二枚の紙基材の分離前には、所要情報の優れた隠蔽性を得ることができるとともに、二枚の紙基材の分離後には、表示された所要情報の保存性を感熱発色に比して格段に向上させることができる。
【００２３】
このサーマル印字用隠蔽帳票にあって、二枚の紙基材が被転写層以外の部分で接着により一体化されている構成にあっては、二枚の紙基材の相互保持をより確実に行わせることができる。
【００２４】
前記サーマル印字用隠蔽帳票にあって、易剥離層が、平滑性を有するコーティング層からなる構成にあっては、該コーティング層の平滑性によって易剥離層からの転写用インキ層の剥離を円滑に行わせることができる。
【００２５】
また、易剥離層が、剥離剤を含有させたインキ層からなる構成にあっては、該インキ層の剥離性によって易剥離層からの転写用インキ層の剥離を円滑に行わせることができる。
【００２６】
前記サーマル印字用隠蔽帳票にあって、転写用インキ層を透明以外の有色とし、被転写層を透明とするとともに、該被転写層が配設された紙基材を転写用インキ層とは異なる色とした構成にあっては、透明な被転写層に転写された有色のインキによって、被転写層が配設された異なる色の紙基材上に所要情報を表示させることができる。
【００２７】
また、易剥離層と転写用インキ層とを透明以外の有色で同じ色とし、被転写層を透明とするとともに、該被転写層が配設された紙基材を易剥離層及び転写用インキ層とは異なる色とした構成にあっては、透明な被転写層に転写された有色のインキによって、被転写層が配設された異なる色の紙基材上に所要情報を表示させることができるとともに、易剥離層と転写用インキ層とが同じ色であるため、転写後不要となる紙基材側に残る個人情報が視認不能となり、これによって易剥離層と転写用インキ層とが配設された紙基材を破棄しても個人情報の漏洩を防止することができる。
【００２８】
また、易剥離層と転写用インキ層とを透明以外の有色で同じ色とし、被転写層を易剥離層及び転写用インキ層とは異なる色とした構成にあっては、異なる色の被転写層に転写された有色のインキによって、被転写層上に所要情報を表示させることができるとともに、易剥離層と転写用インキ層とが同じ色であるため、転写後不要となる紙基材側に残る個人情報が視認不能となり、これによって易剥離層と転写用インキ層とが配設された紙基材を破棄しても個人情報の漏洩を防止することができる。
【００２９】
また、被転写層を透明とし、転写用インキ層を該被転写層が配設された紙基材と同じ色とし、易剥離層を転写用インキ層とは異なる色とした構成にあっては、易剥離層と転写用インキ層とが異なる色であるため、転写により転写用インキ層が抜けた部分に表出する異なる色の易剥離層によって所要情報を表示させることができるとともに、透明な被転写層が配設された紙基材と転写用インキ層とが同じ色であるため、被転写層に転写された転写用インキ層のインキで形作られる個人情報が視認不能となり、これによって被転写層が配設された紙基材を転写後に破棄しても個人情報の漏洩を防止することができる。
【００３０】
また、転写用インキ層と被転写層とを透明以外の有色で同じ色とし、易剥離層を転写用インキ層及び被転写層とは異なる色とした構成にあっては、易剥離層と転写用インキ層とが異なる色であるため、転写により転写用インキ層が抜けた部分に表出する異なる色の易剥離層によって所要情報を表示させることができるとともに、被転写層と転写用インキ層とが同じ色であるため、被転写層に転写された転写用インキ層のインキで形作られる個人情報が視認不能となり、これによって被転写層が配設された紙基材を転写後に破棄しても個人情報の漏洩を防止することができる。
【００３１】
さらに、転写用インキ層が部分的に相互に異なる色で設けられている構成にあっては、印字する所要情報が複数の表示項目からなる場合に、その表示項目の重要度に応じて色を変えたり、注意を喚起したい表示項目をより目立つ色にすることにより、所要情報の表示性を向上させることができる。
【００３２】
また、転写用インキ層が、転写後の表示情報に対する追記改竄を判別可能にする改竄防止模様形態で設けられている構成にあっては、転写用インキ層の転写により表示される所要情報が改竄防止模様形態となり、該改竄防止模様形態と同一の模様形態で追記改竄することができないため、表示情報を追記改竄すると明らかに形態が相違することが目視により判別可能となる。これにより、表示情報の改竄を防止することができる。
【発明を実施するための最良の形態】
【００３３】
以下に、本発明にかかるサーマル印字用隠蔽帳票の第一実施例を、図１に基づいて説明する。
サーマル印字用隠蔽帳票１は、図１（Ａ）に示すように、上下に重ね合わされる二枚の紙基材２ａ，２ｂを備えている。下側に位置する紙基材２ａは、上質紙や中質紙等の普通紙、或いは合成紙からなり、この紙基材２ａの上面、即ち、紙基材２ｂとの対向面には、その所定領域に感熱性ディレードタック型糊剤を塗布してなる被転写層３が配設されている。
【００３４】
一方、上側に位置する紙基材２ｂは、上質紙や中質紙等の普通紙、或いは合成紙からなり、この紙基材２ｂの下面、即ち、紙基材２ａとの対向面には、前記被転写層３に上下で一致する位置に易剥離層４が配設されており、該易剥離層４上に転写用インキ層５が積層されている。前記易剥離層４は、ＯＰニスを塗布した平滑性を有するコーティング層からなり、この平滑性によって転写用インキ層５のインキを印字内容が確認できる程度に剥離させ得るようになっている。また、転写用インキ層５は、酸化重合型インキや紫外線硬化型インキをべた印刷することにより設けられている。尚、紙基材２ｂにはアート紙やコート紙を用いることも可能であり、このアート紙やコート紙を用いる場合には、表面に設けられている平滑なコーティング層が易剥離層４となる。
【００３５】
ここで、被転写層３または易剥離層４を透明または透明以外の有色若しくは白色とし、紙基材２ａ，２ｂまたは転写用インキ層５を白色または透明以外の有色として、これらの色を適宜組み合わせることにより、後述するように印字された所要情報を種々の表示態様で表示することが可能となる。尚、有色の場合は、所要情報を鮮明に表示させるために濃色とすることが好ましい。
【００３６】
かかる構成にあって、転写用インキ層５を透明以外の有色（例えば黒色）とし、被転写層３を透明とするとともに、該被転写層３が配設された紙基材２ａを転写用インキ層５とは異なる色（例えば白色）として、図１（Ｂ）に示すように、二枚の紙基材２ａ，２ｂを上下に重ね合わせた状態でサーマルプリンタによって紙基材２ｂ上から所要情報を印字すると、該サーマルプリンタのサーマルヘッドから放出された熱によって、感熱性ディレードタック型糊剤からなる被転写層３が印字形態通りに部分的に加熱されて活性化し、その活性化により発現する接着性または粘着性によって、対向面に設けられた転写用インキ層５が印字形態通りに被転写層３に接合され、かつ、その接合力により二枚の紙基材２ａ，２ｂが一体化される。そして、この状態で二枚の紙基材２ａ，２ｂを分離すると、印字形態通りに接合されている転写用インキ層５のインキ部分だけが易剥離層４の剥離作用を介して透明な被転写層３に転写され、この透明な被転写層３に転写された有色（例えば黒色）のインキによって、異なる色（例えば白色）の紙基材２ａ上に所要情報を表示することができる。
【００３７】
ここで、二枚の紙基材２ａ，２ｂを分離する前の状態にあっては、転写用インキ層５が印字形態通りに被転写層３に接合されているだけであり、この接合されたインキ部分と他の非接合のインキ部分が一連となっているため、一体化されている二枚の紙基材２ａ，２ｂの表裏両面の何れから透かして見ても内部に印字された所要情報を視認することはできない。これにより、所要情報の優れた隠蔽性を得ることができる。また、二枚の紙基材２ａ，２ｂを分離した後の状態にあっては、所要情報を表示するインキが、従来構成の感熱発色層に比して褪色し難いものであるため、所要情報の優れた保存性が得られる。
【００３８】
また、易剥離層４と転写用インキ層５とを透明以外の有色で同じ色（例えば黒色）とし、被転写層３を透明とするとともに、該被転写層３が配設された紙基材２ａを易剥離層４及び転写用インキ層５とは異なる色（例えば白色）とした場合には、透明な被転写層３に転写された有色（例えば黒色）のインキによって、被転写層３が配設された異なる色（例えば白色）の紙基材２ａ上に所要情報を表示させることができるとともに、易剥離層４と転写用インキ層５とが同じ色（例えば黒色）であるため、転写後不要となる紙基材２ｂ側に残る個人情報が視認不能となり、これによって易剥離層４と転写用インキ層５とが配設された紙基材２ｂを破棄しても個人情報の漏洩を防止することができる。
【００３９】
また、易剥離層４と転写用インキ層５とを透明以外の有色で同じ色（例えば黒色）とし、被転写層３を易剥離層４及び転写用インキ層５とは異なる色（例えば白色）とした場合には、異なる色（例えば白色）の被転写層３に転写された有色（例えば黒色）のインキによって、被転写層３上に所要情報を表示させることができるとともに、易剥離層４と転写用インキ層５とが同じ色（例えば黒色）であるため、転写後不要となる紙基材２ｂ側に残る個人情報が視認不能となり、これによって易剥離層４と転写用インキ層５とが配設された紙基材２ｂを破棄しても個人情報の漏洩を防止することができる。
【００４０】
また、被転写層３を透明とし、転写用インキ層５を該被転写層３が配設された紙基材２ａと同じ色（例えば白色）とし、易剥離層４を転写用インキ層５とは異なる色（例えば黒色）とした場合には、易剥離層４と転写用インキ層５とが異なる色であるため、転写により転写用インキ層５のインキが抜けた部分に表出する異なる色（例えば黒色）の易剥離層４によって紙基材２ｂ側に所要情報を表示させることができるとともに、透明な被転写層３が配設された紙基材２ａと転写用インキ層５とが同じ色（例えば白色）であるため、被転写層３に転写された転写用インキ層５のインキで形作られる個人情報が視認不能となり、これによって被転写層３が配設された紙基材２ａを転写後に破棄しても個人情報の漏洩を防止することができる。尚、この構成の場合には、紙基材２ｂ側に表示される所要情報を判読可能とするために、サーマルプリンタによって紙基材２ｂ上から印字される所要情報が裏向き状態で印字されることとなる。
【００４１】
また、転写用インキ層５と被転写層３とを透明以外の有色で同じ色（例えば黒色）とし、易剥離層４を転写用インキ層５及び被転写層３とは異なる色（例えば白色）とした場合には、易剥離層４と転写用インキ層５とが異なる色であるため、転写により転写用インキ層５が抜けた部分に表出する異なる色（例えば白色）の易剥離層４によって所要情報を表示させることができるとともに、被転写層３と転写用インキ層５とが同じ色（例えば黒色）であるため、被転写層３に転写された転写用インキ層５のインキで形作られる個人情報が視認不能となり、これによって被転写層３が配設された紙基材２ａを転写後に破棄しても個人情報の漏洩を防止することができる。尚、この構成の場合にも、紙基材２ｂ側に表示される所要情報を判読可能とするために、サーマルプリンタによって紙基材２ｂ上から印字される所要情報が裏向き状態で印字されることとなる。
【００４２】
尚、上述した第一実施例では、易剥離層４を、平滑性を有するコーティング層とした構成について説明したが、該易剥離層４は、剥離剤を含有させたインキをべた印刷してなるインキ層により構成してもよい。このインキ層のインキには、酸化重合型インキや紫外線硬化型インキが適用され、これらのインキに剥離剤としてシリコーン樹脂を所定割合含有させることにより、上述した転写用インキ層５のインキを印字内容が確認できる程度に剥離させ得るものとなる。このように易剥離層４を、剥離剤を含有させたインキ層とすることにより、該インキ層の剥離性によって易剥離層４からの転写用インキ層５の剥離を円滑に行わせることができる。
【００４３】
また、上述した第一実施例では、紙基材２ｂ上から所要情報を印字する場合について説明したが、図２に示すように、二枚の紙基材２ａ，２ｂの配置関係を逆にして重ね合わせた状態で、上側の紙基材２ａ上からサーマルプリンタによって所要情報を印字することも可能である。
【００４４】
また、上述した第一実施例では、所要情報の印字によって、被転写層３と転写用インキ層５とを印字形態通りに接合させることで、二枚の紙基材２ａ，２ｂを一体化するようにしているが、この所要情報の印字時に、所要情報の表示を阻害しない任意の部分をサーマルヘッドで加熱して、その加熱部分に対応する被転写層３と転写用インキ層５とを接合させてもよい。これにより、所要情報の隠蔽性をさらに高めることができる。
【００４５】
図３は第二実施例を示し、この第二実施例は、二枚の紙基材２ａ，２ｂを接着剤６によって被転写層３以外の部分で接着することにより一体化したものである。ここで、接着剤６として弱接着剤を用いることにより二枚の紙基材２ａ，２ｂを剥離可能に疑似接着したり、強接着剤を用いることにより紙基材２ａ，２ｂの周囲や端部が剥離不能に接着され得る。また、強接着剤により剥離不能に接着する場合には、その接着部の内側に切り離しを容易とするミシン目を施してもよい。このように二枚の紙基材２ａ，２ｂを一体化することにより、該紙基材２ａ，２ｂが相互保持され、印字された所要情報の秘匿をより確実に行わせることができる。
【００４６】
図４は第三実施例を示し、この第三実施例は、転写用インキ層５を部分的に相互に異なる色で設けたものである。即ち、転写用インキ層５を構成するインキを相互に異なる色のインキとし、各インキを部分的にべた印刷したものであり、例えば、氏名や住所が印字される部分５ａは黒色、請求金額が印字される部分５ｂは青色、お知らせが印字される部分５ｃは赤色にしたりすることによって、転写用インキ層５の色が部分的に相互に異なるものとなっている。
【００４７】
かかる構成にあっては、印字する所要情報が複数の表示項目からなる場合に、その表示項目の重要度に応じて色を変えたり、注意を喚起したい表示項目をより目立つ色にすることにより、所要情報の表示性を向上させることができる。また、印刷のため、多色サーマル紙以上に自由に色が選択できるので、デザイン性が向上する。
【００４８】
図５は第四実施例を示し、この第四実施例は、転写用インキ層５を、転写後の表示情報に対する追記改竄を判別可能にする改竄防止模様形態で設けたものである。即ち、転写用インキ層５は、インキを微細なストライブ模様、波線模様、市松模様等の改竄防止模様形態で印刷することにより設けられている。図５（Ａ）は、改竄防止模様形態の一形態としてのストライブ模様で設けられた転写用インキ層５を示し、図５（Ｂ）は、該転写用インキ層５から転写されたインキ５’による所要情報７の表示状態を示す。
【００４９】
かかる構成にあっては、転写用インキ層５の転写により表示される所要情報７が改竄防止模様形態となり、該改竄防止模様形態と同一の模様形態で追記改竄することができないため、表示情報を追記改竄すると明らかに形態が相違することが目視により判別可能となる。これにより、表示情報の改竄を防止することができる。
【００５０】
尚、本発明は各実施例の構成に限定されるものではなく、本発明の要旨の範囲内で適宜変更が可能である。例えば、第一実施例では、易剥離層４を構成するコーティング層を、ＯＰニスを塗布したものとしたが、このＯＰニスに代えて、ウレタンアクリレート，エポキシアクリレート等の紫外線硬化型樹脂や電子線硬化型樹脂、塩化ビニル，酢酸ビニル共重合樹脂，アクリル酸エステル・スチレン共重合体樹脂，ニトロセルロース，マイレン酸樹脂等の溶剤型熱可塑性樹脂、ポリビニルアルコール，ポリビニルピロピドン等の水溶性樹脂、各種のアクリル共重合樹脂やポリウレタン等を単独で、またはこれらに剥離剤としてシリコーン樹脂を添加したものが用いられ得る。また、これらのコーティング層の平滑性をさらに高めるためにキャレンダー処理を施してもよい。また、印字時に上側に位置させる紙基材２ａまたは紙基材２ｂの上面に、必要に応じて感熱発色層を設けてもよい。さらに、本発明は、各実施例の構成を選択的に組み合わせることも可能である。
【図面の簡単な説明】
【００５１】
【図１】第一実施例にかかるサーマル印字用隠蔽帳票１を示し、（Ａ）は紙基材２ａ，２ｂの分離状態の縦断面図、（Ｂ）は紙基材２ａ，２ｂを重ね合わせた状態の縦断面図である。
【図２】同上のサーマル印字用隠蔽帳票１の紙基材２ａ，２ｂの配置関係を逆にして重ね合わせた状態を示す縦断面図である。
【図３】第二実施例にかかるサーマル印字用隠蔽帳票１の縦断面図である。
【図４】第三実施例にかかるサーマル印字用隠蔽帳票１を示し、（Ａ）は紙基材２ａ，２ｂの分離状態の縦断面図、（Ｂ）は紙基材２ａ，２ｂを重ね合わせた状態の縦断面図である。
【図５】第四実施例にかかるサーマル印字用隠蔽帳票１に設けられた改竄防止模様形態を示し、（Ａ）はストライブ模様からなる改竄防止模様形態の転写用インキ層５を示す部分拡大平面図、（Ｂ）は該転写用インキ層５から転写されたインキ５’による所要情報７の表示状態を示す部分拡大平面図である。
【符号の説明】
【００５２】
１  サーマル印字用隠蔽帳票
２ａ，２ｂ  紙基材
３  被転写層
４  易剥離層
５  転写用インキ層
【図１】
2010115841.tif 000003
【図２】
2010115841.tif 000004
【図３】
2010115841.tif 000005
【図４】
2010115841.tif 000006
【図５】
2010115841.tif 000007